(57)【要約】【課題】業務全般の作業効率の向上と意思決定のスピードアップを図る。【解決手段】ボーリング柱状図作成支援アプリケーション５は、ユーザーが所持する携帯端末１０にインストールされる。このボーリング柱状図作成支援アプリケーション５は、ユーザーに選択させるデータを記憶しておくデータ記憶部３０と、ボーリング柱状図を構成するデータをユーザーに入力させ、又はデータ記憶部３０に記憶されたデータから選択させる複数の画面を記憶しておく画面記憶部３１と、携帯端末１０の表示部２４に、画面記憶部３１に記憶されている複数の画面をツリー構造で遷移するように表示させる表示制御部３２と、ユーザーに入力又は選択されたデータに基づいて、ボーリング柱状図のファイルを生成するファイル生成部３３と、を携帯端末１０に構築する。【選択図】図１
2014047549.tif 000002
【特許請求の範囲】
【請求項１】
ユーザーが所持する携帯端末にインストールされるアプリケーションであって、
ユーザーに選択させるデータを記憶しておくデータ記憶部と、
ボーリング柱状図を構成するデータをユーザーに入力させ、又は前記データ記憶部に記憶されたデータから選択させる複数の画面を記憶しておく画面記憶部と、
前記携帯端末の表示部に、前記画面記憶部に記憶されている複数の画面をツリー構造で遷移するように表示させる表示制御部と、
ユーザーに入力又は選択されたデータに基づいて、ボーリング柱状図のファイルを生成するファイル生成部と、を前記携帯端末に構築することを特徴とする、
ボーリング柱状図作成支援アプリケーション。
【請求項２】
前記携帯端末の通信機能を利用して、前記ファイル生成部で生成された前記ファイルを外部端末に送信するファイル送信部、を前記携帯端末に構築することを特徴とする、
請求項１に記載のボーリング柱状図作成支援アプリケーション。
【請求項３】
前記画面記憶部が記憶している画面として、前記ファイル生成部が生成する前記ファイルのページングに関する設定値をユーザーに入力又は選択させる画面があり、
前記ファイル生成部は、ユーザーに入力された前記設定値に基づいたページに分割された前記ファイルを生成することを特徴とする、
請求項１又は２に記載のボーリング柱状図作成支援アプリケーション。
【請求項４】
前記ボーリング柱状図は、抵抗体を打撃して地盤の所定の深度まで打ち込む標準貫入試験で得られる前記抵抗体の打撃回数を示す点が、前記深度毎にプロットされた折れ線グラフで表されるものであり、
前記画面記憶部が記憶している画面として、
前記点の個数をユーザーに入力又は選択させる画面と、
前記点が示す前記深度及び前記打撃回数をユーザーに入力させる画面と、
前記点が示す前記深度の間隔を一定にして複数の前記点が示す前記深度が自動的に決定するか否かをユーザーに選択させる画面と、があることを特徴とする、
請求項１〜３のいずれかに記載のボーリング柱状図作成支援アプリケーション。
【発明の詳細な説明】
【技術分野】
【０００１】
本発明は、ボーリング柱状図作成支援アプリケーションに関する。
【背景技術】
【０００２】
構造物（建物、道路、橋、ダム、擁壁など）を造る際、地盤を調べる試験が行われる。このような試験には、直接地盤を調べる原位置試験と、採取した土を調べる土質試験と、がある。原位置試験の中でよく行われるものに、地盤の硬さや締まり具合などを調べる標準貫入試験がある。この試験は、ノッキングブロックと呼ばれる抵抗体を、ドライブハンマーで打撃して地盤に打ち込むものであり、抵抗体を決められた深さまで打ち込むために必要な打撃回数をＮ値としてカウントする。これらの試験で得られるＮ値などのデータは、現場から事務所などに持ち帰られて、ボーリング柱状図（土質柱状図）にまとめられる（非特許文献１参照）。
【先行技術文献】
【非特許文献】
【０００３】
【非特許文献１】島根県、［online］、トップ＞県土づくり＞技術管理＞技術管理情報＞島根県設計・測量・調査等業務共通仕様書  １−３  地質・土質調査業務共通仕様書  参考資料１  ボーリング柱状図作成要領（案）、［平成２４年８月１５日検索］、インターネット（ＵＲＬ：http://www.pref.shimane.lg.jp/infra/kouji/kouji_info/kyoutuu_shiyousho/index.data/sanko1.pdf）
【発明の概要】
【発明が解決しようとする課題】
【０００４】
ボーリング柱状図にまとめられるデータは、標尺、層厚、深度、柱状図、土質区分、色調、記事、標準貫入試験の深度、打撃回数、貫入量、Ｎ値など、多数の項目にわたる。このため、試験をしてからボーリング柱状図ができ上がるまでに時間が掛かっていた。
【０００５】
本発明は、上記課題を鑑みてなされたものであり、業務全般の作業効率の向上と意思決定のスピードアップを図ることができるボーリング柱状図作成支援アプリケーションを提供することを目的とする。
【課題を解決するための手段】
【０００６】
（１）本発明は、ユーザーが所持する携帯端末にインストールされるアプリケーションであって、ユーザーに選択させるデータを記憶しておくデータ記憶部と、ボーリング柱状図を構成するデータをユーザーに入力させ、又は前記データ記憶部に記憶されたデータから選択させる複数の画面を記憶しておく画面記憶部と、前記携帯端末の表示部に、前記画面記憶部に記憶されている複数の画面をツリー構造で遷移するように表示させる表示制御部と、ユーザーに入力又は選択されたデータに基づいて、ボーリング柱状図のファイルを生成するファイル生成部と、を前記携帯端末に構築することを特徴とする、ボーリング柱状図作成支援アプリケーションである。
【０００７】
本発明によれば、現場で携帯端末を操作して、データを入力又は選択するだけでボーリング柱状図ができ上がる。このため、現場から事務所などにデータを持ち帰り、ボーリング柱状図にまとめる作業が不要になる。これにより、業務全般の作業効率の向上と意思決定のスピードアップを図ることができる。
【０００８】
（２）本発明はまた、前記携帯端末の通信機能を利用して、前記ファイル生成部で生成された前記ファイルを外部端末に送信するファイル送信部、を前記携帯端末に構築することを特徴とする、上記（１）に記載のボーリング柱状図作成支援アプリケーションである。
【０００９】
上記発明によれば、プロジェクトに関わるお客様や作業メンバー、協力企業との間の情報共有を促進することができる。これにより、業務全般の作業効率の更なる向上と意思決定の更なるスピードアップを図ることができる。
【００１０】
（３）本発明はまた、前記画面記憶部が記憶している画面として、前記ファイル生成部が生成する前記ファイルのページングに関する設定値をユーザーに入力又は選択させる画面があり、前記ファイル生成部は、ユーザーに入力された前記設定値に基づいたページに分割された前記ファイルを生成することを特徴とする、上記（１）又は（２）に記載のボーリング柱状図作成支援アプリケーションである。
【００１１】
上記発明によれば、ユーザーが所望するようにボーリング柱状図をページ分割することができる。これにより、ボーリング柱状図が見やすくなり、業務全般の作業効率の更なる向上と意思決定の更なるスピードアップを図ることができる。
【００１２】
（４）本発明はまた、前記ボーリング柱状図は、抵抗体を打撃して地盤の所定の深度まで打ち込む標準貫入試験で得られる前記抵抗体の打撃回数を示す点が、前記深度毎にプロットされた折れ線グラフで表されるものであり、前記画面記憶部が記憶している画面として、前記点の個数をユーザーに入力又は選択させる画面と、前記点が示す前記深度及び前記打撃回数をユーザーに入力させる画面と、前記点が示す前記深度の間隔を一定にして複数の前記点が示す前記深度が自動的に決定するか否かをユーザーに選択させる画面と、があることを特徴とする、上記（１）〜（３）のいずれかに記載のボーリング柱状図作成支援アプリケーションである。
【００１３】
上記発明によれば、折れ線グラフにプロットされる点の深度が自動的に決定されるので、ユーザーが深度を入力したり選択したりする必要がない。すなわち、ユーザーの手間を減らすことができる。これにより、業務全般の作業効率の更なる向上と意思決定の更なるスピードアップを図ることができる。
【発明の効果】
【００１４】
本発明の上記（１）〜（４）に記載のボーリング柱状図作成支援アプリケーションによれば、業務全般の作業効率の向上と意思決定のスピードアップを図ることができる。
【図面の簡単な説明】
【００１５】
【図１】本発明の実施形態に係るボーリング柱状図作成支援アプリケーションをインストールした携帯端末から送信されるファイルを共有するＰｕｓｈ型のシステムの概略図である。
【図２】図１に示す携帯端末のハード構成を示すブロック図である。
【図３】図１に示す携帯端末の機能構成を示すブロック図である。
【図４Ａ】ボーリング柱状図作成支援アプリケーションによって表示される画面の機能概要を説明するテーブルである。
【図４Ｂ】図４Ａの続きを説明するテーブルである。
【図５】図４Ａ及び図４Ｂで説明する画面が遷移するツリー構造を説明する概略図である。
【図６Ａ】図４Ａで説明する画面を示す図である。
【図６Ｂ】図４Ａで説明する画面を示す図である。
【図６Ｃ】図４Ａ及び図４Ｂで説明する画面を示す図である。
【図６Ｄ】図４Ｂで説明する画面を示す図である。
【図６Ｅ】図４Ｂで説明する画面を示す図である。
【図７】Ｐｕｓｈ／Ｐｕｌｌ型のシステムの概略図である。
【発明を実施するための形態】
【００１６】
以下、図面を参照して、本発明の実施形態に係るボーリング柱状図作成支援アプリケーションについて詳細に説明する。
【００１７】
［第１実施形態］まず、図１〜図６を用いて、Ｐｕｓｈ型（メール配信型）のファイル共有システム１の構成について説明する。図１は、ファイル共有システム１の概略図である。図２は、携帯端末１０のハード構成を示すブロック図である。図３は、携帯端末１０の機能構成を示すブロック図である。図４Ａ及び図４Ｂは、ボーリング柱状図作成支援アプリケーション（以下、アプリと略す。）５によって表示される画面の機能概要を説明するテーブルである。図５は、画面が遷移するツリー構造を説明する概略図である。図６Ａ〜図６Ｅは、画面を示す図である。
【００１８】
図１に示されるように、ファイル共有システム１は、携帯端末１０から電子メールなどで送信されるボーリング柱状図のファイル（本実施形態では、ＰＤＦファイル）を、ネットワーク（インターネット回線）上で共有する。当該ファイルを受信したパーソナルコンピュータ１１のユーザーは、当該ファイルを閲覧することができる。
【００１９】
ボーリング柱状図は、標準貫入試験などで得られるデータが表されるものである。具体的に、標準貫入試験は、地盤の硬さや締まり具合などを調べる試験であって、ノッキングブロックと呼ばれる抵抗体を、ドライブハンマーで打撃して地盤に打ち込むものであり、抵抗体を決められた深さまで打ち込むために必要な打撃回数をＮ値としてカウントする。ボーリング柱状図は、抵抗体の打撃回数（Ｎ値）を示す点が深度毎にプロットされた折れ線グラフで表される。なお、ボーリング柱状図は、建築省土木研究所から昭和６１年８月に発行された「ボーリング柱状図作成要領（案）」に説明されている土質ボーリング柱状図記入要領（上記非特許文献１参照）に説明されているものであり、周知であるので、その具体的な説明は省略する。
【００２０】
携帯端末１０は、ｉＰｈｏｎｅ（登録商標）等のスマートフォン（多機能携帯電話）に、本発明に係るアプリ５をインストールしたもので、通信機能を有する。この携帯端末１０は、土質試験の結果が入力されることで、ボーリング柱状図のファイルを生成すると共に、生成したファイルを電子メールなどで送信可能とする。なお、携帯端末１０の基本的な機能及び操作は、ｉＰｈｏｎｅ（登録商標）の機能及び操作に基づくものであり、周知であるので、その具体的な説明は省略する。
【００２１】
図２に示されるように、携帯端末１０は、制御部２０と、ＲＯＭ２１と、ＲＡＭ２２と、通信部２３と、表示部２４と、操作部２５と、ＧＰＳ２６と、マイク２７と、スピーカ２８と、カメラ２９と、等を備えている。
【００２２】
この携帯端末１０は、制御部２０によって統括的に制御される。すなわち、携帯端末１０の各部は、制御部２０の制御下において動作して、その動作状況が制御部２０によって管理される。制御部２０は、ＲＯＭ２１にインストールされているアプリ５などを読み出してＲＡＭ２２に展開し、アプリ５などの機能を実現する（詳細は後述）。ＲＯＭ２１は、書換え可能な不揮発性メモリであり、各種アプリやファイル等が記憶されている。ＲＡＭ２２は、制御部２０がアプリを実行する際に用いられる作業用メモリである。
【００２３】
通信部２３は、携帯電話として機能させる通話用の通信機能と、インターネット回線を利用したデータ通信用の通信機能と、を備えている。表示部２４は、各種画面を表示したり、カメラ２９による撮影の際にスルー画を表示したりする。操作部２５は、構造的なボタンと、表示部２４を利用したタッチパネルと、から構成される。この操作部２５は、ユーザーによる入力又は選択のためのマンマシンインタフェースとして機能する。
【００２４】
ＧＰＳ２６は、携帯端末１０の現在地を測位してその位置情報を取得する。マイク２７は、通話用であると共に、ユーザーの音声による入力を可能にする。スピーカ２８は、通話用であるが、各種音声ガイダンスの出力を可能にする。カメラ２９は、撮影によって画像データを取得する。
【００２５】
図３に示されるように、携帯端末１０は、アプリ５の実行により、データ記憶部３０と、画面記憶部３１と、表示制御部３２と、ファイル生成部３３と、ファイル送信部３４と、等として機能する。
【００２６】
データ記憶部３０は、ＲＡＭ２２に構築される。このデータ記憶部３０は、ユーザーに選択させるデータなどを記憶しておく。画面記憶部３１は、ＲＡＭ２２に構築される。この画面記憶部３１は、ボーリング柱状図を構成するデータをユーザーに入力させ、又はデータ記憶部３０に記憶されたデータから選択させる複数の画面（図４Ａ及び図４Ｂ参照）を記憶しておく。そして、画面記憶部３１は、ファイル生成部３３で生成するファイルのページングに関する設定値をユーザーに入力又は選択させる画面（図６Ｄに示す（２７）及び（２８）参照）を記憶しておく。また、画面記憶部３１は、ボーリング柱状図の折れ線グラフにプロットされる点の個数をユーザーに入力又は選択させる画面（図６Ｃに示す（１７）参照）と、当該点が示す深度及び打撃回数（Ｎ値）をユーザーに入力させる画面（図６Ｃに示す（１８）参照）と、当該点が示す深度の間隔を一定（本実施形態では、１ｍ）にして複数の点が示す深度が自動的に決定するか否かをユーザーに選択させる画面（図６Ｅに示す（３４）参照）と、を記憶しておく。
【００２７】
表示制御部３２は、制御部２０に構築される。この表示制御部３２は、表示部２４に、画面記憶部３１に記憶されている複数の画面をツリー構造（図５参照）で遷移するように表示させる。ファイル生成部３３は、制御部２０に構築される。このファイル生成部３３は、ユーザーに入力又は選択されたデータに基づいて、ボーリング柱状図のファイルを生成する。具体的に、ファイル生成部３３は、データが書き込まれていないボーリング柱状図のデータを、データ記憶部３０から読み出して、ユーザーに入力又は選択されたデータを書き込むことで、ボーリング柱状図のファイルを生成する。また、ファイル生成部３３は、ユーザーに入力されたページングの設定値（本実施形態では、標尺の値）に基づいてページ分割されたファイルを生成する。例えば、１ページ目を標尺０ｍ〜２７．４ｍの範囲とし、２ページ目を標尺２６．４ｍ〜６０ｍの範囲とすることで、分割部分をわずかに重複させることができる。これにより、２５ｍ〜２８ｍ付近のデータが途中で切れて読みにくくなることを防止できる。ファイル送信部３４は、通信部２３に構築される。このファイル送信部３４は、ファイル生成部３３で生成されたファイルを、外部端末であるパーソナルコンピュータ１１に送信する。
【００２８】
図４Ａ及び図４Ｂに示されるように、画面記憶部３１に記憶され、表示部２４に表示される画面は、「（１）メインメニュー」、「（２）柱状図編集」、「（３）編集メニュー」、・・・、「（３５）ＰＤＦプレビュー」、「（３６）メール送信」等の画面がある。これら複数の画面は、図５に示されるように、ツリー構造で遷移するように表示される。
【００２９】
次に、各画面の特徴部分について説明する。ただし、重複する説明や同様の説明は適宜省略する。図６Ａに示される「（３）編集メニュー」において、画面の右上に配置される「電球」のアイコンがユーザーにタップされることで、図６Ｅに示されるような「（３５）ＰＤＦプレビュー＆（３６）メール送信」（アクションシート）が画面の下に表示される。
【００３０】
図６Ａに示される「（４）基本情報１」において、各項目のブランクの右に配置されるボタンがユーザーにタップされることで、登録されたテキスト又は過去に入力されたテキストからユーザーに選択させる画面に遷移する。これにより、テキスト入力する手間が省略できる。
【００３１】
図６Ａに示される「（６）基本情報３」において、日付を入力するブランクの右に配置されるボタンがユーザーにタップされることで、携帯端末１０に登録されているその時点の日付がブランクに自動的に入力される。
【００３２】
図６Ａに示される「（８）基本情報５」において、緯度を入力するブランクの実時に配置される「地図」のボタンがユーザーにタップされることで、図６Ｂに示される「（８Ａ）地図」に遷移する。この「（８Ａ）地図」において、画面の下に配置される「現在位置を登録」のボタンがユーザーにタップされることで、「（８）基本情報５」の緯度、経度のブランクに、現在位置の緯度、経度が自動的に入力される。
【００３３】
図６Ｂに示される「（１０）柱状図一覧」において、画面の右上に配置される「編集」のボタンがユーザーにタップされることで、図６Ｂに示される「（１０Ａ）柱状図一覧」の編集用の画面に遷移する。この「（１０Ａ）柱状図一覧」において、「−」のアイコンがユーザーにタップされることで「削除」のボタンが表示され、この「削除」のボタンがユーザーにタップされることで、当該項目が削除される。また、「（１０Ａ）柱状図一覧」において、「＋」のアイコンがユーザーにタップされることで、最下部に項目が一つ追加される。各項目の右には、画面が遷移することを意味する「＞」が表示されている。さらに、「（１０）柱状図一覧」において、項目がユーザーにタップされることで、図６Ｂに示される「（１１）詳細入力」に遷移する。
【００３４】
この「（１１）詳細入力」において、土質区分を入力するブランクの右に配置されるボタンがユーザーにタップされることで、図６Ｂに示される「（１２）土質区分入力」に遷移する。この「（１２）土質区分入力」において、「第一分類」のボタンがユーザーにタップされることで、図６Ｂに示される「（１２Ａ）第一分類」に遷移する。この「（１２Ａ）第一分類」において、イラスト付きの項目がユーザーにタップされることで、「（１２）土質区分入力」のブランクに、タップされた項目のテキストが自動的に入力される。
【００３５】
図６Ｅに示される「（３５）ＰＤＦプレビュー＆（３６）メール送信」において、「プレビュー」のボタンがユーザーにタップされることで、図６Ｅに示される「（３５Ａ）ＰＤＦプレビュー」が画面の中央に表示され、その後、図６Ｅに示される「（３５Ｂ）ＰＤＦプレビュー」、すなわち、ファイルの１ページ目のプレビューが表示される。この「（３５Ｂ）ＰＤＦプレビュー」において、ユーザーによって画面がスクロールされることで、図６Ｅに示される「（３５Ｃ）ＰＤＦプレビュー」、すなわち、ファイルの２ページ目のプレビューが表示される。また、「（３５）ＰＤＦプレビュー＆（３６）メール送信」において、「送信」のボタンがユーザーにタップされることで、メール送信画面（図示省略）に遷移する。
【００３６】
このように、ボーリング柱状図作成支援アプリケーションによれば、現場で当該アプリをインストールした携帯端末１０を操作して、データを入力又は選択するだけでボーリング柱状図ができ上がる。このため、現場から事務所などにデータを持ち帰り、ボーリング柱状図にまとめる作業が不要になる。これにより、業務全般の作業効率の向上と意思決定のスピードアップを図ることができる。
【００３７】
そして、携帯端末１０の通信機能を利用して、ボーリング柱状図のファイルを外部端末であるパーソナルコンピュータ１１に送信することができる。このため、プロジェクトに関わるお客様や作業メンバー、協力企業との間の情報共有を促進することができる。これにより、業務全般の作業効率の更なる向上と意思決定の更なるスピードアップを図ることができる。
【００３８】
また、ボーリング柱状図のファイルのページングに関する設定値をユーザーに入力させることができる。このため、ユーザーが所望するようにボーリング柱状図をページ分割することができる。これにより、ボーリング柱状図が見やすくなり、業務全般の作業効率の更なる向上と意思決定の更なるスピードアップを図ることができる。
【００３９】
さらに、ユーザーによる設定次第では、Ｎ値を示す折れ線グラフにプロットされる点の深度が自動的に決定されるので、ユーザーが深度を入力したり選択したりする必要がない。すなわち、ユーザーの手間を減らすことができる。これにより、業務全般の作業効率の更なる向上と意思決定の更なるスピードアップを図ることができる。
【００４０】
本発明は、上記実施形態に限られるものではなく、その趣旨及び技術思想を逸脱しない範囲で種々の変形が可能である。
【００４１】
［第２実施形態］例えば、上記第１実施形態では、Ｐｕｓｈ型のファイル共有システム１を例に説明したが、本発明はこれに限定されず、Ｐｕｓｈ／Ｐｕｌｌ型（クラウド型）のファイル共有システムであってもよい。
【００４２】
そこで、図７を用いて、Ｐｕｓｈ／Ｐｕｌｌ型のファイル共有システム２の構成について説明する。図７は、ファイル共有システム２の概略図である。
【００４３】
図７に示されるように、ファイル共有システム２は、携帯端末１０からアップロードされるファイルを、ネットワーク上のアプリサーバ１２で共有する。アプリサーバ１２に蓄積されたファイルは、各パーソナルコンピュータ１１からアクセス（ダウンロード）することで、閲覧することができる。
【００４４】
このように、複数のファイルを蓄積することで、地図上でデータベース化することができるので、今までは独立して管理されていたボーリング柱状図の使い勝手がよくなる。これにより、プロジェクトに関わるお客様や作業メンバー、協力企業との間の情報共有を促進することができる。これにより、業務全般の作業効率の更なる向上と意思決定の更なるスピードアップを図ることができる。
【符号の説明】
【００４５】
１，２  ファイル共有システム
５  ボーリング柱状図作成支援アプリケーション
１０  携帯端末
１１  パーソナルコンピュータ（外部端末）
３０  データ記憶部
３１  画面記憶部
３２  表示制御部
３３  ファイル生成部
３４  ファイル送信部
【図１】
2014047549.tif 000003
【図２】
2014047549.tif 000004
【図３】
2014047549.tif 000005
【図４Ａ】
2014047549.tif 000006
【図４Ｂ】
2014047549.tif 000007
【図５】
2014047549.tif 000008
【図６Ａ】
2014047549.tif 000009
【図６Ｂ】
2014047549.tif 000010
【図６Ｃ】
2014047549.tif 000011
【図６Ｄ】
2014047549.tif 000012
【図６Ｅ】
2014047549.tif 000013
【図７】
2014047549.tif 000014